(57)【要約】【課題】レンズ付きフイルムユニットの不正規な再利用を防止する。【解決手段】ストロボ装置の回路基板２２に回路型アンテナ３５とストロボ制御ＩＣ３５とを実装し、カウント値の読出し信号を回路型アンテナ３５が受信したことに応答して、ストロボ制御ＩＣ３７は応答信号を回路型アンテナ３５に入力する。応答信号は応答電波に変換されて回路型アンテナ３５から外部の送受信装置に情報伝達される。回路型アンテナ３５に作動禁止電波が入力されたことに応答してストロボ制御ＩＣ３７に作動禁止信号が入力されてストロボ回路の動作は禁止される。また、回路型アンテナ３５に禁止解除電波が入力されたことに応答してストロボ制御ＩＣ３７に禁止解除信号が入力されてストロボ回路は回復する。【選択図】　　　　図３
2004053680.tif 000002
【特許請求の範囲】
【請求項１】
ストロボ回路を構成する回路部品が実装された回路基板にストロボ発光部が組み付けられたストロボ装置を有するレンズ付きフイルムユニットにおいて、
前期回路基板に、回路型アンテナとストロボ回路の動作を制御するストロボ制御ＩＣとを実装し、作動禁止電波の受信に応答して作動禁止信号が前記ストロボ制御ＩＣに入力されることによりストロボ回路の作動が禁止され、禁止解除電波の受信に応答して禁止解除信号が前記ストロボ制御ＩＣに入力されることによりストロボ回路の作動禁止状態が解除されるようにしたことを特徴とするレンズ付きフイルムユニット。
【請求項２】
写真フイルムのカウント値は二値化されて前記ストロボ制御ＩＣに格納されており、前記回路型アンテナがカウント値の読出し電波を受信したことに応答して二値化されたカウント値の信号が前記回路型アンテナから電波として外部に情報伝達されることを特徴とする請求項１記載のレンズ付きフイルムユニット。
【発明の詳細な説明】
【０００１】
【発明の属する技術分野】
本発明は、レンズ付きフイルムユニットに関するものである。
【０００２】
【従来の技術】
簡単な撮影機構を備えたユニット本体に、未露光の写真フイルムとこれを収納するカートリッジとからなる写真フイルムカートリッジが製造時に装填されたレンズ付きフイルムユニットが各種販売されており、ストロボ装置を内蔵したものもある。使用済みのレンズ付きフイルムユニットは、製造メーカによって回収され、構成部品ごとに再使用、あるいはリサイクルされている。
【０００３】
一方、メーカ以外の業者が使用済みのレンズ付きフイルムユニットを回収し未露光の写真フイルムを再装填し不正規に再販売している。このような正規のメーカ以外の業者による詰め替え製品は、適正な検査や部品交換が行われずに再販売されるため、信頼性に乏しいという問題がある。また、不正規な詰め替え製品に発生した問題は、正規のメーカが販売したレンズ付きフイルムユニットそのものに対する信頼性を損なうことにもなりかねない。
【０００４】
そこで、メーカ以外の業者によるレンズ付きフイルムユニットの不正規な再利用を防止するため、従来のレンズ付きフイルムユニットには各種工夫がなされている。特開平８−８２８４０号公報で知られているように、レンズ付きフイルムユニットが撮影できる最大枚数をカウントしたときに、レンズ付きフイルムユニット内のＩＣがストロボ回路を発光禁止状態にするものがある。この公報によると、正規にストロボ回路を再利用するには、レンズ付きフイルムユニット内のストロボ装置に設けられた接点に、外部リーダ装置の接続ピンを接続させる必要がある。そして、外部リーダ装置は、レンズ付きフイルムユニットの識別コードを読み取る。読み取った識別コードから外部リーダ装置は対応するリセットコードを選択し、レンズ付きフイルムユニットのＩＣに入力する。入力されたリセットコードがレンズ付きフイルムユニットのＩＣに記憶されている回復コードと一致するときに限り、ストロボ回路は動作を回復するようになっている。
【０００５】
【発明が解決しようとする課題】
しかしながら、上記のレンズ付きフイルムユニットでは、外部リーダを接続する接続端子が第三者に容易に見つけられてしまい、ストロボ回路の回復方法が電気的な信号の入力であることが判明してしまう。また、ストロボ回路の回復も個別に行う必要があるため時間もかかってしまう。このため、ストロボ回路を回復させるためにかかる時間を短縮する必要があり、使用不能状態となったストロボ回路を回復させる手段を第三者には解明できないようにする必要もある。
【０００６】
本発明は、上記問題を解決するためになされたものであり、その目的は、第三者にはストロボ回路の回復方法がわからないようにしてレンズ付きフイルムユニットの不正規な再利用を防止することにある。
【０００７】
【課題を解決するための手段】
上記目的を達成するために、請求項１記載のレンズ付きフイルムユニットでは、回路型アンテナとストロボ制御ＩＣとがストロボ基板に実装され、作動禁止電波の受信に応答して作動禁止信号が前記ストロボ制御ＩＣに入力されることによりストロボ回路の作動が禁止され、禁止解除電波の受信に応答して禁止解除信号が前記ストロボ制御ＩＣに入力されることによりストロボ回路の作動禁止状態が解除されるようにしたものである。
【０００８】
請求項２記載のレンズ付きフイルムユニットでは、ストロボ制御ＩＣは撮影枚数のカウント値を二値化して格納し、前記回路型アンテナがカウント値の読出し電波を受信したことに応答して二値化されたカウント値の信号が前記回路型アンテナから電波として外部に情報伝達されることを特徴とするものである。
【０００９】
【発明実施の形態】
本発明を実施したストロボ装置を内蔵したレンズ付きフイルムユニットの分解斜視図を図１に示す。ユニット本体２は、前カバー４と後カバー５が写真フイルムカートリッジ７と例えば２４枚撮り写真フイルム８を収納する本体基部１０を覆うように構成されている。
【００１０】
本体基部１０の前面中央部には撮影レンズ１１から写真フイルム８までの間を遮光する暗箱１２が設けられている。本体基部１０の上部にはシャッタボタン１４、写真フイルムの巻上げノブ１５、カウンタ窓１６が設けられている。カウンタ窓１６からは、本体基部１０に組み込まれた撮影枚数表示板の枚数表示が観察することができる。周知のように、撮影枚数表示板は本体基部１０に回転自在に組み込まれており、撮影後のフイルム１コマ巻き上げに連動して１歩進し、その都度カウンタ窓１６を通して撮影枚数を確認することができるようになっている。
【００１１】
ストロボ装置２０は、本体基部１０と前カバー４との間に組み込まれている。図２に示すように、ストロボ装置２０は、回路基板２２にストロボ装置を構成するシンクロスイッチ２４と、メインスイッチ２６と、メインコンデンサ２８と、発振用のトランジスタ３０などの回路部品のほかに、電池３１をする切片２３、２４を実装したもので、回路基板２２の上部には、ストロボ発光部３４をも組み付けてユニット化したものである。
【００１２】
図３に示すように、回路基板２２には、電波をする回路型アンテナ３５と、回路型アンテナ３５が受信した電波を電気信号に変換する検波回路３６と、トランジスタ３０の作動を禁止してストロボ回路の充電動作を禁止し、あるいはその禁止を解除するためのストロボ制御ＩＣ３７と、ストロボ制御ＩＣ３７から入力された信号を電波に変換する共振回路３８とが設けられている。なお、ストロボ制御ＩＣ３７はストロボ回路の作動を禁止するためのもので、ストロボ回路の作動を禁止するには上記のようにストロボ回路の充電動作を禁止することのほかに、発光用のトリガ回路の作動を禁止して発光動作を禁止することもできる。
【００１３】
ストロボ制御ＩＣ３７は、シンクロスイッチ２４が接触した回数に基づいて電気的に撮影枚数を計数するカウンタ４０を含み、そのカウント値を記憶する。シンクロスイッチ２４はシャッタ羽根の開閉に同期してオンし、シンクロ信号をストロボ回路に入力するためのものであるが、ストロボを使用しない撮影のときでもオンする。したがって、シンクロスイッチ２４がオンした回数をカウンタ４０で計数することにより、撮影回数の計数を行うことができる。また、カウント値は二値化されてストロボ制御ＩＣ３７内に記憶されている。
【００１４】
ユーザが写真の現像を依頼すると、写真フイルムの現像業者は撮影枚数を確認するために外部の送受信装置からカウント値の読出し電波を送信する。送受信装置からの読出し電波は回路型アンテナ３５で受信され、検波回路３６によって読出し信号として取り出され判定回路４２へ入力される。読出し信号は判定回路４２で正規な信号かどうかを判定され、正規なものであればストロボ制御ＩＣ３７に入力される。読出し信号の入力に応答してストロボ制御ＩＣ３７は二値化されたカウント値を応答信号として出力する。応答信号が共振回路３８に入力されると、共振によって応答信号は応答電波に変換されて回路型アンテナ３５から外部の送受信装置に送信される。送受信装置に応答電波が送信されると、現像業者は送受信装置をとおして撮影枚数を把握し、撮影枚数の確認と現像の可否の確認とをユーザに対して行う。
【００１５】
フイルムを現像するときは、送受信装置からストロボの作動禁止電波を送信する。回路型アンテナ３５によって受信された作動禁止電波から、検波回路３６によって作動禁止信号が取り出され、判定回路４２に入力される。判定回路４２において、正規な信号と判断されればストロボ制御ＩＣ３７に入力される。するとストロボ制御ＩＣ３７はＬレベル信号を出し、それによりスイッチング素子（図示省略）がオフとなってトランジスタ３０の動作が禁止される。
【００１６】
また、送受信装置からのストロボ回路を回復させる禁止解除電波を回路型アンテナ３５が受信すると、検波回路３６によって禁止解除信号が取り出され、判定回路４２に入力される。禁止解除信号は、判定回路４２において正規な信号と判断されると、ストロボ制御ＩＣ３７に入力される。するとストロボ制御ＩＣ３７はＨレベル信号を出し、スイッチング素子がオンとなってトランジスタ３０の動作禁止状態は解除される。
【００１７】
次に上記構成の作用について図４を参照しながら説明する。レンズ付きフイルムユニットにおいてユーザが撮影を開始し、ストロボ制御ＩＣ３７内に設けられたカウンタ４０がシンクロスイッチ２４の接触回数に基づいて撮影枚数を計数する。
【００１８】
ユーザが写真フイルムの現像を現像業者に依頼するとき、現像業者は撮影枚数を把握するために外部の送受信装置からレンズ付きフイルムユニットの回路型アンテナ３５に読出し電波を送信する。受信された読出し電波から検波回路３６によって読出し信号が取り出され、判定回路４２に送られる。正規な信号であればストロボ制御ＩＣ３７に入力され、応答してカウント値を表す応答信号が共振回路３８に入力される。応答信号が入力されるた共振回路３８は回路型アンテナ３５と共振し、共振して回路型アンテナ３５は応答電波を送受信装置に送信する。現像業者は送受信機を通して撮影枚数を把握することができる。残存する撮影枚数があるときは、ユーザに現像の可否を確認してからフイルムの現像を行う。
【００１９】
ユーザが現像を許可したときには、外部送受信装置からストロボの作動禁止電波を回路型アンテナ３５に入力する。受信された作動禁止電波は検波回路３６で作動禁止信号として取り出され判定回路４２に入力される。判定回路４２において正規な信号と判断されると、ストロボ制御ＩＣ３７に入力され、これによりストロボ制御ＩＣ３７はトランジスタ３０の動作を禁止する。
【００２０】
トランジスタ３０の動作が禁止されてストロボ回路が使用不能となった後、写真フイルムは抜き取られ現像にまわされる。写真フイルムの抜き取られたレンズ付きフイルムユニットはリサイクル可能かどうかを判定され、電池のチェック後に新しい写真フイルムが装填される。
【００２１】
作動禁止状態にあるストロボ回路を回復させるために、外部の送受信装置から禁止解除電波を回路型アンテナ３５に入力する。受信された禁止解除電波は検波回路３６により禁止解除信号に変換される。正規な信号かどうかを判定回路４２で判断され、正規なものであればストロボ制御ＩＣ３７に入力される。これにより、トランジスタ３０は動作の禁止が解除されストロボ回路の充電動作が可能となる。
【００２２】
【発明の効果】
以上に述べたように本発明のレンズ付きフイルムユニットによれば、ストロボ回路基板にストロボ制御ＩＣと回路型アンテナとを備えることにより、作動禁止電波の入力によるストロボ回路の作動の禁止を行うことが可能となる。使用不能なストロボ回路を使用可能にするためには、あらかじめ波形パターンの決められた禁止解除電波を入力する必要がある。禁止解除電波の波形パターンを知らない第三者にはストロボ回路の使用不能状態を回復することはできない。このため第三者によるレンズ付きフイルムユニットの不正規な再利用を防止することができる。
【図面の簡単な説明】
【図１】本発明を実施したレンズ付きフイルムユニットの分解斜視図である。
【図２】本発明を実施したストロボ装置を示す斜視図である。
【図３】ストロボ装置の構成を簡単に示したブロック図である。
【図４】レンズ付きフイルムユニットの工程を示したフローチャート　　　　　　　　である。
【符号の説明】
２　ユニット本体
１０　本体基部
２２　ストロボ回路基板
２４　シンクロスイッチ
２６　メインスイッチ
２８　メインコンデンサ
３０　トランジスタ
３５　アンテナ素子
３７　ストロボ制御ＩＣ
【図１】
2004053680.tif 000003
【図２】
2004053680.tif 000004
【図３】
2004053680.tif 000005
【図４】
2004053680.tif 000006